(57)【要約】  飲料を作るためのポーションパッケージ（８）用のパッケージユニット（１０）は、互いに角度を成して配置された複数の帯（２，３）を含む担体（１）を有しており、帯（２，３）にはそれぞれ、各ポーションパッケージ（８）を挿入するための収容部（５）が形成されており、担体（１）は管状に形成されており、隣り合う２つの帯（２，３）の収容部（５）は、それぞれ帯（２，３）の長手方向にずらされて配置されている。これにより、ポーションパッケージ（８）をパッケージユニット（１０）内に保護した状態で効率的に方向付けて配置することができる。
2021511264.tif 000002
【特許請求の範囲】
【請求項１】
飲料を作るためのポーションパッケージ（８）用のパッケージユニット（１０）であって、互いに角度を成して配置された複数の帯（２，３；１２，１３，１４）を含む担体（１）を備えており、前記帯（２，３；１２，１３，１４）にはそれぞれ、各ポーションパッケージ（８）を挿入するための収容部（５）が形成されている、パッケージユニット（１０）において、
前記担体（１，１’）は管状に形成されており、隣り合う２つの前記帯（２，３；１２，１３，１４）の前記収容部（５）は、それぞれ前記帯（２，３；１２，１３，１４）の長手方向にずらされて配置されていることを特徴とする、パッケージユニット（１０）。
【請求項２】
前記担体（１，１’）は、互いに結合された２つの縁帯（４，６）または１つの前記帯（１３）に結合された少なくとも１つの縁部分（１５）を有している、請求項１記載のパッケージユニット。
【請求項３】
前記担体（１，１’）は、横断面で見て三角形に形成されている、請求項１または２記載のパッケージユニット。
【請求項４】
各前記収容部（５）は、鉢状、皿状、円錐状、載頭円錐状、角錐状または載頭角錐状に形成されている、請求項１から３までのいずれか１項記載のパッケージユニット。
【請求項５】
各前記収容部（５）の尖端部（５０）または下面は、管状の前記担体（１，１’）の内部に収容されている、請求項１から４までのいずれか１項記載のパッケージユニット。
【請求項６】
前記帯（２，３）毎に、２つ〜８つの前記収容部が設けられている、請求項１から５までのいずれか１項記載のパッケージユニット。
【請求項７】
複数の管状の前記担体（１）が互いに結合されて、１つのパッケージユニットを形成している、請求項１から６までのいずれか１項記載のパッケージユニット。
【請求項８】
前記担体（１）は、紙、厚紙、パルプ成形品または深絞りされた薄いプラスチック板から製造されている、請求項１から７までのいずれか１項記載のパッケージユニット。
【請求項９】
前記担体（１，１’）にはバリヤ層が設けられている、請求項１から８までのいずれか１項記載のパッケージユニット。
【請求項１０】
前記バリヤ層は、個別の複数の層から成る、請求項９記載のパッケージユニット。
【請求項１１】
前記ポーションパッケージ（８）の上面の外側に設けられた保護フィルム（１１）が設けられている、請求項１から１０までのいずれか１項記載のパッケージユニット。
【請求項１２】
前記保護フィルム（１１）は、前記担体（１）または該担体の前記バリヤ層と共に、各前記ポーションパッケージ（８）を個別に密に包囲している、請求項１１記載のパッケージユニット。
【請求項１３】
前記保護フィルム（１１）は、当該パッケージユニットの長手方向に対して横方向または長手方向に、セグメント毎に引き剥がすことができる、請求項１から１２までのいずれか１項記載のパッケージユニット。
【請求項１４】
前記収容部（５）を備え、折畳み縁部（７）を介して互いに結合された前記帯（１２，１３，１４）が３つ設けられている、請求項１から１３までのいずれか１項記載のパッケージユニット。
【請求項１５】
真ん中の前記帯（１２）の前記収容部（５）は、他の２つの前記帯（１３，１４）よりも１つ少なくなっている、請求項１３記載のパッケージユニット。
【請求項１６】
三角形の管状の前記担体（１，１’）の総容積に対する全ての前記収容部（５）の容積は、少なくとも２５％、好適には３０％〜５０％である、請求項１から１５までのいずれか１項記載のパッケージユニット。
【請求項１７】
前記担体（１，１’）内の前記ポーションパッケージ（８）の中には、抽出材料、特にコーヒー粉または茶葉が含まれている、請求項１から１６までのいずれか１項記載のパッケージユニット。
【発明の詳細な説明】
【技術分野】
【０００１】
本発明は、飲料を作るためのポーションパッケージ用のパッケージユニットであって、互いに角度を成して配置された複数の帯を含む担体を備えており、帯にはそれぞれ、各ポーションパッケージを挿入するための収容部が形成されている、パッケージユニットに関する。
【背景技術】
【０００２】
例えばコーヒーを作るための複数のポーションパッケージを、１つのより大きなパッケージユニット内、例えば保護バリヤを形成しひいてはポーションパッケージ内のコーヒー粉の香りを保ち続けるフィルム材料から成るバッグ内に設けることが知られている。ただし、このようなバッグをユーザが開けると、個々のポーションパッケージ内のコーヒー粉は香りを失い、ある程度の時間が経過すると、飲料の質を損なうことになる。そのうえ、デリケートなポーションパッケージはバッグ内でしばしば大きく変形し、これはその機能性を制限する恐れがある。
【発明の概要】
【発明が解決しようとする課題】
【０００３】
したがって、本発明の課題は、改良されたポーションパッケージ保護手段が設けられたパッケージユニットを提供することにある。
【課題を解決するための手段】
【０００４】
この課題は、請求項１記載の特徴を有するパッケージユニットによって解決される。
【０００５】
本発明によるパッケージユニットは、各１つのポーションパッケージを挿入するための複数の個別の収容部が形成された担体を有しており、担体は、互いに角度を成して配置された複数の帯を有している。担体は管状に形成されており、隣り合う２つの帯の収容部は、それぞれ帯の長手方向にずらされて配置されており、これにより、担体の容積を最適に利用することができ、特に先細になったポーションパッケージを、担体の内室内にコンパクトに位置決めすることができる。この場合、担体は損傷に対する保護手段を提供しており、パッケージユニットを良好に積み重ねて輸送することもできるようになっている。
【０００６】
好適には、担体の２つの縁帯が互いに結合されている。これにより、まず複数の収容部を備えた扁平な材料を、管に仕立てることができる。担体は、横断面で見て好適には三角形に形成されており、２つの帯にはポーションパッケージ用の収容部が設けられており、第３の帯は、互いに結合された各縁帯により形成されている。最適な空間利用のために、好適には縁帯にも、つまり第３の帯にも、ポーションパッケージ用の収容部が設けられている。この場合、最適な容積利用を達成するために、帯のうちの２つにポーションパッケージ用の収容部が対称に設けられていると共に、第３の帯は、長手方向に見て他の２つの帯に対してずらされて配置された収容部を有していてよい。別の実施形態では、収容部は、理想的な空間利用を保証するために、全ての帯において長手方向にずらされている。
【０００７】
ポーションパッケージを正確に位置決めするために、各収容部は鉢状、皿状、円錐状、載頭円錐状、角錐状または載頭角錐状に形成されていてよい。特に、尖ったまたは円錐状に収縮する先細のポーションパッケージの場合に、収容部はポーションパッケージを確実に保持することができ、収容部およびポーションパッケージの配置がずらされることにより、担体の内部容積が効率的に利用されることになる。さらに、収容部の、しばしばデリケートな尖端部または下面が管状の担体の内部に収容されていると、ポーションパッケージおよび収容部の損傷を回避することができる。この場合、尖端部または下面は、担体の、尖端部または下面を取り囲む壁部分から離れて配置されていてよい。
【０００８】
別の構成では、複数の管状の担体が互いに結合されて、１つのパッケージユニットを形成している。横断面で見て三角形の個々の担体を組み合わせて、正方形、矩形またはひし形のバーまたはその他のより大型のパッケージユニットを形成することができる。
【０００９】
環境に優しいパッケージユニットを製造するために、担体は、好適には紙、厚紙またはパルプ成形品から製造されていてもよいし、または好適には深絞りされた薄いプラスチック材料が用いられてもよい。ポーションパッケージ内の抽出材料の香りの長期保持のために、担体は、好適には収容側に被着されたバリヤ層を有していてよい。担体が紙から製造される場合には、例えばバリヤとして働く、薄いラミネートフィルムが設けられていてよい。特に有利なのは、例えば蝋またはミクロ／ナノフィブリル化セルロース等の持続的な材料から成るバリヤ層である。追加的に、ポーションパッケージの上面が別の保護フィルムによって被覆されていてもよく、別の保護フィルムは、好適には分離可能な結合手段を介して他のバリヤ層に結合されているため、包囲型の保護バリヤが形成されていることになる。
【００１０】
担体内のポーションパッケージの中には、好適には抽出材料、特にコーヒー粉または茶葉が配置されており、ポーションパッケージは、適当な機械で飲料を作るために使用することができる。
【００１１】
以下に、添付の図面を参照して、本発明を複数の実施例に基づきより詳細に説明する。
【図面の簡単な説明】
【００１２】
【図１】本発明によるパッケージユニットの製造の流れを示す図である。
【図２】図１に示したパッケージユニットの断面図である。
【図３】パッケージユニットを開けたところを示す斜視図である。
【図４】組み合わされたパッケージユニットの断面図である。
【図５Ａ】変更されたパッケージユニットの素材を示す図である。
【図５Ｂ】変更されたパッケージユニットの素材を示す図である。
【図６】さらに変更されたパッケージユニットの平面図である。
【発明を実施するための形態】
【００１３】
担体１は、実質的に板状の材料、例えば紙、厚紙、パルプ成形品またはプラスチックから成っており、担体１には収容部５の形態の複数の凹部が形成されている。担体１には２つの帯２および３が含まれており、帯２および３は、折畳み縁部７を介して互いに結合されている。さらに、帯２は帯３とは反対の側で、折畳み縁部７を介して縁帯６と結合されており、帯３は帯２と反対の側で、折畳み縁部７を介して縁帯４と結合されている。収容部５は、鉢状、皿状、円錐状、載頭円錐状、角錐状または載頭角錐状に形成されていてよく、例えばコーヒーまたはお茶を作るためのポーションパッケージを収容するために用いられる。
【００１４】
保護バリヤを形成するために、担体１の上面および収容部５の内面は、保護バリヤを備えて形成されていてよく、例えば薄いプラスチック層または金属層によりコーティングされていてよい。特に有利なのは、例えば蝋またはミクロ／ナノフィブリル化セルロース等の持続的な材料から成るバリヤ層である。この場合、コーティングは１つまたは複数の層から成っていてよい。代替的に、担体１の材料に相応の保護バリヤが一体化されていてもよい。
【００１５】
担体１は、第１のステップで、複数のポーションパッケージ８で満たされる。ポーションパッケージ８は、例えばフィルタ材料、例えばフィルタペーパから製造されており、コーヒー粉等の抽出材料を含んでいる。ポーションパッケージ８は、この例では実質的に角錐状に形成されており、収容部５内に突入する尖端部を有している。この場合、ポーションパッケージ８は、収容部５内でずれないように形状結合式に位置固定されている。ポーションパッケージ８の挿入は、１つの平面内で同一方向に行うことができ、このことは、パッケージ装置を大幅に単純化する。
【００１６】
ポーションパッケージ８の挿入後に、任意には、ポーションパッケージ８の上面に配置され、これを被覆する保護フィルム９が設けられる。次いで、保護フィルム９は、担体１の材料に結合、特にシール、接着または溶着される。これによりポーションパッケージ８は、保護フィルム９と担体１との間に保護された状態で配置されていることになる。
【００１７】
この場合、保護フィルム９には、例えばポーションパッケージ８に圧力を加えるように、追加的な要素が取り付けられていてよい。これらの要素は、発泡材、厚紙または段ボール紙等の追加的な材料から成っていてもよいし、または例えばエアクッションフィルムのようなエアクッションの形態で、フィルム自体によって形成されていてもよい。
【００１８】
このようにして充填された担体１は、折畳み縁部７に沿って折り畳まれてよく、このとき縁帯４および６が互いに結合される。これは例えば機械的な係止によって行われてよく、特に接着または溶着によって行われてもよい。これにより、横断面で見て三角形の管状の担体１が製造され、担体１は、１つのパッケージユニット１０を形成している。
【００１９】
帯２および３に設けられた収容部５は、帯の長手方向において互いにずらされて配置されているため、帯２に設けられた収容部５の尖端部は、隣の帯３に設けられた２つの収容部５の間に突入するようになっている。これにより、担体１のポーションパッケージ８用の内部容積を効率的に利用することができる。
【００２０】
図２には、担体１によるパッケージユニット１０の断面図が示されており、帯２および３に設けられた角錐状の収容部５内のポーションパッケージが、好適には約６０°の角度で互いに角度を成すような向きになっていることが認められる。さらに、収容部５において尖端部５０は担体から離れて配置されており、これにより、損傷に対する保護手段が生じていることが認められる。尖端部５０は内室内で、担体の折畳み縁部７および壁部分から離れて配置されている。これは、製造プロセスを、通常生じる製造誤差に対してもロバストにする。
【００２１】
図３には、ポーションパッケージ８を取り出す際のパッケージユニット１０が示されている。パッケージユニット１０は、ポーションパッケージ８の領域において、帯状に形成されており帯２の上面から引き剥がすことができる別の保護フィルム１１によって被覆されていてよい。特に有利な構成では、保護フィルム１１は、各個別のポーションパッケージ８の周りを包囲するように、担体１または担体のバリヤ層と結合されている。これにより、ユーザは１つのポーションパッケージ８を収容部５から個別に取り出すことができ、その際に別のポーションパッケージ８はパッケージユニット１０内に、特に既存のフィルムによる保護バリヤによってまだ保護された状態で配置されている。この場合、保護フィルム１１の内側は、図１に示した保護フィルム９によって形成されていてよく、外側は、さらに装飾的にコーティングまたは印刷されていてよい。保護フィルムの引き剥がしを容易にするために、対応する複数の穿孔部が形成されていてよい。図示の例では、フィルム１１はパッケージユニット１０から長手方向に引き剥がされるが、もちろん横または斜め方向にも同じく良好に引き剥がすことができる。
【００２２】
図４には、より小さな２つのパッケージユニット１０から構成された、変更されたパッケージユニット２０が示されている。両パッケージユニット１０は、収容部５が設けられていない面同士で相接して保持されており、特に互いに接着されている。これにより、パッケージユニット２０は横断面で見てひし形に形成されており、ポーションパッケージ８が設けられた４つの面を有することになる。
【００２３】
図示の実施例では、１つのパッケージユニット１０に７つのポーションパッケージ８が収容されている。もちろん、１つのパッケージユニット１０に、より少ないかまたはより多くの収容部５およびポーションパッケージ８を設けることも可能である。各帯２または３には、好適には２つ〜８つの収容部５、好適には３つ〜５つの収容部５が含まれている。
【００２４】
図５Ａおよび図５Ｂには、担体１’による、変更されたパッケージユニットの素材が示されている。担体１’には３つの帯１２，１３および１４が含まれており、真ん中の帯１２は各折畳み縁部７を介して外側の２つの帯１３および１４と結合されている。真ん中の帯１２には、各ポーションパッケージ８用の４つの収容部５が位置しており、外側の２つの帯１３および１４は、各ポーションパッケージ８用の５つの収容部５を有している。この場合、真ん中の帯１２は、外側の２つの帯１３および１４よりもやや広幅に形成されている。
【００２５】
帯１４において、真ん中の帯１２とは反対の側には、少なくとも１つの突出した縁部分１５が設けられている。素材が２つの折畳み縁部７に沿って折り畳まれ、横断面で見て三角形の管が形成されると、収容部５は管内に突入する。この形を固定するために、帯１４に設けられた縁部分１５を外側の帯１３と、好適には接着またはスタンピングによって結合することができる。代替的または追加的に、縁部分１５を、帯１３に設けられたスリット状の収容部に挿入することによる機械的な固定も行われてよい。
【００２６】
帯１４に設けられた２つの縁部分１５の代わりに、単一の縁部分１５のみまたは３つ以上の縁部分１５が設けられていてもよい。
【００２７】
三角形の管状の担体１’の容積に対する全収容部５の容積は、好適には少なくとも２５％、特に３０％〜５０％である。
【００２８】
図６には、それぞれ折畳み縁部７を介して互いに結合された３つの帯１２，１３および１４を備える、変更されたパッケージユニットの素材が示されている。複数の縁部分１５に代えて、帯１４には、他方の外側の帯１３と好適には接着により結合される、１つの帯状の縁部分１５’が設けられている。この実施形態では、理想的な空間利用を可能にするために、収容部５は全ての帯１２，１３および１４においてその長手方向に互いにずらされて配置されている。
【符号の説明】
【００２９】
１，１’  担体
２  帯
３  帯
４  縁帯
５  収容部
６  縁帯
７  折畳み縁部
８  ポーションパッケージ
９  保護フィルム
１０  パッケージユニット
１１  保護フィルム
１２  帯
１３  帯
１４  帯
１５，１５’  縁部分
２０  パッケージユニット
５０  尖端部
【図１】
2021511264.tif 000003
【図２】
2021511264.tif 000004
【図３】
2021511264.tif 000005
【図４】
2021511264.tif 000006
【図５Ａ】
2021511264.tif 000007
【図５Ｂ】
2021511264.tif 000008
【図６】
2021511264.tif 000009
【国際調査報告】
2021511264.tif 000010
2021511264.tif 000011
2021511264.tif 000012
2021511264.tif 000013
2021511264.tif 000014